(57)【要約】      （修正有）【課題】敷設に整合性が取り易く、防草に有効で、雑草が生えなくなるので、畑等での草刈の必要性を無くし、駐車場等の管理が楽になる防草板状体敷設構造を提供する。【解決手段】一方の板状体１００と他方の板状体１０１とが片方の板状体１００の２辺から突出した突出部１０１１，１０１２を除いて接合してなる防草板状体１よりなるか、又は、防草板状体１を一単位として、複数の防草板状体の端部を対向させ、各防草板状体の接合端縁が一致するように接合して防草を必要とする箇所に敷設する。【選択図】図１
0003204224.tif 000002
【実用新案登録請求の範囲】
【請求項１】
防草を必要とする箇所に敷設可能な防草板状体敷設構造であって、立方体よりなる一方の板状体と立方体よりなる他方の板状体とが当該片方の板状体の２辺から突出した突出部を除いて接合してなる防草板状体よりなるか、又は、当該防草板状体を一単位として、複数の当該防草板状体の端部を対向させ、各防草板状体の接合端縁が一致するように接合してなることを特徴とする防草板状体敷設構造。
【請求項２】
防草板状体を構成する立方体よりなる一方の板状体と立方体よりなる他方の板状体とが、共に正四角形の同一の大きさからなり、且つ、防草板状体を構成する際の接合が接着剤を介在させて行われてなることを特徴とする、請求項１に記載の防草板状体敷設構造。
【請求項３】
正四辺形の内部に防草板状体を構成する立方体よりなる一方の板状体と立方体よりなる他方の板状体とが収納されてなることを特徴とする、請求項１又は２に記載の防草板状体敷設構造。
【請求項４】
防草板状体の端部を対向させての接合に際して、露出した突出部を被覆することのできる被覆部材を被覆させて接合してなることを特徴とする、請求項１、２又は３に記載の防草板状体敷設構造。
【請求項５】
防草板状体の端部を対向させての接合に際して、接合部材を介在させて接合してなることを特徴とする、請求項１、２、３又は４に記載の防草板状体敷設構造。
【請求項６】
防草板状体敷設構造が、四単位の防草板状体により構成されてなることを特徴とする、請求項１、２、３、４又は５に記載の防草板状体敷設構造。
【請求項７】
防草板状体敷設構造が、八単位の防草板状体により構成されてなることを特徴とする、請求項１、２、３、４、５又は６に記載の防草板状体敷設構造。
【考案の詳細な説明】
【技術分野】
【０００１】
本考案は、防草板状体敷設構造に関し、特に、敷設に整合性が取り易く、防草（雑草防止）に有効で、雑草が生えなくなるので、畑等での草刈の必要性を無くし、駐車場等の管理が楽になる等の効果がある防草板状体敷設構造に関するものである。
【背景技術】
【０００２】
雑草は、抜いても抜いても生えてくる、やっかいなもので、雑草対策・雑草除去を怠ると、あっという間に草ボウボウになるだけではなく、夏は、蚊などの虫の発生源にもなったりし、中には花粉症やアレルギ−を引き起こす雑草もあるので注意が必要である。
防草（雑草防止）の対策には、基本的には、「抜く，枯らす，防ぐ」の三種類の方法があるとされている。
しかし、雑草を手で一々抜いていくのは、非常に厄介であり、又、鎌や草刈り機等で草刈するとしても、その労力は多大で、しかも、雑草は、抜いても抜いても生えてくるので、根本的な対策とはなり難い。
除草剤等の薬剤を使用して「枯らす」雑草対策・方法は、生えてしまった雑草を手早く処理でき簡単ではあるが、小さな子供やペットがいる家庭では、土に残った薬剤が体内に入る危険性がある為、雑草対策としては進められない。
雑草に対して、日光を遮断して、雑草に光を与えないことは、防草対策として有効である。
防草シ−トを敷設したり、石貼りしたり、砂利を撒いたり、タイル貼りしたり、レンガ貼りしたり、天然材木や人工材木を敷設したり、コンクリ−ト等で防草舗装を施したりするのは、日光を遮断して、雑草に、光を与えず、その成長を阻止する為である。これらを併用することも行われており、例えば、防草シ−トを敷いた上に砂利を撒く等の方法が取られることがある。
しかし、飛び石や砂利等は、地面がデコボコして歩きにくくなったり、つまづいて転ぶ危険性があったり、しばらくたつとやっぱり草は生えて来たりし、コンクリ−ト等で防草舗装を施したりする防草対策を自分でやるのは難しかったり、
一度舗装すると、その舗装部分を元の土の状態に戻したくても出来なかったりする等の欠点がある。
雑草対策に塩を撒くことも考えられるが、塩は雑草だけでなく花や植木なども枯らす可能性があるので推奨され難い。
低木類を植栽して、光を当てにくくし、雑草を生えにくくすることも可能であるが、しばらくたつとやっぱり草は生えて来たりして、上記と同様の欠点がある。
特開６１−８７００２公報には、２辺に厚さの上半分に突出する上部突出面６，６を有し、又、残りの２辺に厚さの下半分に突出する下部突出面７，７を有してなるブロック５が記載されており、当該ブロック５は、この上部突出面６，６及び下部突出面７，７を、隣接するブロックのそれぞれ下部突出面７，７及び上部突出面６，６に接し合うようにして、互いに取り付けられて、路床に敷き詰められることが記載されている。しかし、同公報に記載の当該ブロックは、あくまでも、テニスコ−ト等の舗装用で、防草（雑草防止）について触れる記載はない。
又、特開２００７−７７７２４公報には、所定厚さの矩形状の本体部２と、本体部２の隣接する２つの辺部に上面を所定幅だけ延設して形成された上面段差部３と、上面段差部３が形成された辺部以外の２つの辺部に上面段差部３と同じ幅だけ下面を延設して形成された下面段差部４とを備え、上面段差部３及び下面段差部４の厚さの合計値を本体部２の厚さとほぼ同じとなるように設定してなる緑化用板状パネル材１が記載されている。しかし、当該緑化用板状パネル材１にあっては、その個々のパネル材は、前記特開６１−８７００２公報に記載のブロックと同じであるが、複数のパネル材を上面段差部３及び下面段差部４をずらして重合させて配置することで矩形状の植栽領域を形成するようにして、その矩形状の植栽領域に植物を栽培するようになっているものである。即ち、当該特開２００７−７７７２４公報に記載の緑化用板状パネル材は、屋上等でその矩形状の植栽領域において植物を栽培する為の緑化用板状パネル材に構成されているものである。
【先行技術文献】
【特許文献】
【０００３】
【特許文献１】特開６１−８７００２公報、特開２００７−７７７２４公報
【考案の開示】
【考案が解決しようとする課題】
【０００４】
本考案は、上記した従来の抜く，枯らす，防ぐの防草（雑草防止）対策の欠点を解消し、敷設に整合性が取り易く、防草（雑草防止）に有効な防草板状体敷設構造を提供することを目的としたものである。
本考案の他の目的および新規な特徴は以下の明細書及び図面の記載からも明らかになるであろう。
【課題を解決するための手段】
【０００５】
本考案の実用新案登録請求の範囲は、次の通りである。
（請求項１）防草を必要とする箇所に敷設可能な防草板状体敷設構造であって、立方体よりなる一方の板状体と立方体よりなる他方の板状体とが当該片方の板状体の２辺から突出した突出部を除いて接合してなる防草板状体よりなるか、又は、当該防草板状体を一単位として、複数の当該防草板状体の端部を対向させ、各防草板状体の接合端縁が一致するように接合してなることを特徴とする防草板状体敷設構造。
（請求項２）  防草板状体を構成する立方体よりなる一方の板状体と立方体よりなる他方の板状体とが、共に正四角形の同一の大きさからなり、且つ、防草板状体を構成する際の接合が接着剤を介在させて行われてなることを特徴とする、請求項１に記載の防草板状体敷設構造。
（請求項３）  正四辺形の内部に防草板状体を構成する立方体よりなる一方の板状体と立方体よりなる他方の板状体とが収納されてなることを特徴とする、請求項１又は２に記載の防草板状体敷設構造。
（請求項４）    防草板状体の端部を対向させての接合に際して、露出した突出部を被覆することのできる被覆部材を被覆させて接合してなることを特徴とする、請求項１、２又は３に記載の防草板状体敷設構造
（請求項５）  防草板状体の端部を対向させての接合に際して、接合部材を介在させて接合してなることを特徴とする、請求項１、２、３又は４に記載の防草板状体敷設構造。
（請求項６）  防草板状体敷設構造が、四単位の防草板状体により構成されてなることを特徴とする、請求項１、２、３、４又は５に記載の防草板状体敷設構造。
（請求項７）  防草板状体敷設構造が、八単位の防草板状体により構成されてなることを特徴とする、請求項１、２、３、４、５又は６に記載の防草板状体敷設構造。
【考案の効果】
【０００６】
本願において開示される発明のうち代表的なものによって得られる効果を簡単に説明すれば、下記のとおりである。
すなわち、本考案によれば、請求項１に示すように、防草を必要とする箇所に敷設可能な防草板状体敷設構造であって、立方体よりなる一方の板状体と立方体よりなる他方の板状体とが当該片方の板状体の２辺から突出した突出部を除いて接合してなる防草板状体よりなるか、又は、当該防草板状体を一単位として、複数の当該防草板状体の端部を対向させ、各防草板状体の接合端縁が一致するように接合してなることを特徴としているので、防草を必要とする箇所に敷設して使用すると、敷設に整合性が取り易く、日光を遮断し、優れた防草効果を発揮できる。
除草剤等の薬剤を使用しないので、土に残った薬剤が体内に入る危険性を排除でき、防草シ−トを敷設したり、石貼りしたり、砂利を撒いたり、タイル貼りしたり、レンガ貼りしたり、天然材木や人工材木を敷設したりする方法では、飛び石や砂利等により地面がデコボコして歩きにくくなったり、つまづいて転ぶ危険性があったり、しばらくたつとやっぱり草は生えて来たりするが、本考案によれば、そういった欠点を解消できる。
コンクリ−ト等で防草舗装を施したりすることを自分でやるのは難しかったり、又、一度舗装するとその舗装部分を元の土の状態に戻したくても出来なかったりするが、本考案による防草板状体敷設構造は、簡単に自分でも構築でき、又、元の土の状態に戻すことも簡単である。
【０００７】
又、請求項２に示すように、本考案では、防草板状体を構成する立方体よりなる一方の板状体と立方体よりなる他方の板状体とが、共に正四角形の同一の大きさからなり、且つ、防草板状体を構成する際の接合が接着剤を介在させて行われてなるので、敷設を容易に行えるようになっている。又、複数の防草板状体を接合させて防草板状体敷設構造を構成するのが容易となり、並びの整合性を取ることができる。
【０００８】
更に、請求項３に示すように、正四辺形の内部に防草板状体を構成する立方体よりなる一方の板状体と立方体よりなる他方の板状体とが収納されてなるので、より一層防草板状体敷設構造の整合性が取れ、当該防草板状体敷設構造をより防草（雑草防止）に有効なものになし得る。
【０００９】
更に又、請求項４に示すように、防草板状体の端部を対向させての接合に際して、露出した突出部を被覆することのできる被覆部材を被覆させて接合してなることにより、日光が遮断され、より一層防草効果を優れたものにすることができる。
【００１０】
更に又、請求項５に示すように、防草板状体の端部を対向させての接合に際して、接合部材３を介在させて接合させると、防草板状体の動きを止めて、雑草の生育をより一層抑えることができる。
【００１１】
更に又、本考案では、複数の防草板状体を接合させて防草板状体敷設構造を構成するのが容易となり、並びの整合性を容易に取ることができるので、請求項６に示すように、四単位の防草板状体による防草板状体敷設構造が容易に構築できる。
【００１２】
更に又、本考案では、複数の防草板状体を接合させて防草板状体敷設構造を構成するのが容易となり、並びの整合性を容易に取ることができるので、請求項７に示すように、八単位の防草板状体による防草板状体敷設構造が容易に構築できる。
【００１３】
次に、本考案の実施例を図面を参照しつつ説明する。
【実施例】
【００１４】
本考案では、図１及び図４Ｄに示すような、立方体よりなる一方の板状体１００と立方体よりなる他方の板状体１０１とが当該片方の板状体１００の２辺から突出した突出部１０１１、１０１２を除いて上下に接合してなる防草板状体１が基本となっている。本考案は、当該防草板状体１も防草板状体敷設構造に包含される。
当該防草板状体１を構成する立方体よりなる一方の上部板状体１００及び立方体よりなる他方の下部板状体１０１とは、共に正四角形の同一の大きさからなることが好ましい。それにより、防草板状体敷設構造を構成する際の整合性を容易に取ることができ、防草効果を優れたものにすることができる。
その為、当該防草板状体１を構成する立方体よりなる一方の上部板状体１００の四辺の長さＬ１は等しくなっている。
又、当該防草板状体１を構成する立方体よりなる他方の板状体１０１の四辺の長さＬ２も等しくなっている。
正四角形の大きさの好ましい例は、一辺が４５．５ｃｍである。この好ましい例からは、立方体よりなる一方の板状体１００と立方体よりなる他方の板状体１０１とは、共に、一辺が４５．５ｃｍの正四角形の同一の大きさよりなる。
上記２辺から突出した突出部１０１１の幅Ｘ１の好ましい例は、５ｃｍである。一方、２辺から突出した突出部１０１２の幅（Ｘ２）の好ましい例は、
４．５ｃｍである。
図４Ｄに示すように、一辺の長さ（Ｌ３）が等しい正四辺形の内部に防草板状体を構成する立方体よりなる一方の上部板状体１００と立方体よりなる他方の下部板状体１００とが収納されてなることが好ましい。
当該一辺の長さＬ３は，５０ｃｍであることが好ましい。それにより、防草板状体敷設構造を構成する際の整合性を容易に取ることができ、防草効果を優れたものにすることができる。
【００１５】
本考案では、立方体よりなる一方の上部板状体１００と立方体よりなる他方の下部板状体１０１とは、これら立方体よりなる一方の上部板状体１００と立方体よりなる他方の下部板状体１０１との間に、接着剤を介在させて接合して防草板状体１を構成するのが好ましい。粘着剤を介在させてもよい。
当該接着剤等による接合により、防草を必要とする箇所に容易に敷設でき、又、複数の防草板状体を接合させて防草板状体敷設構造を構成するのが容易となり、並びの整合性を取ることができる。
【００１６】
防草板状体１を構成する立方体よりなる一方の上部板状体１００と立方体よりなる他方の下部板状体１０１とは、共に正四角形の同一の大きさからなると共に、当該上下の立方体よりなる一方の上部板状体１００と立方体よりなる他方の下部板状体１０１とは、共に同じ厚みとすることが好ましい。接合が容易で、平らな平面を確保できるからである。当該厚みは、同じであれば、特に、制限はないが、前記当該一方の上部板状体１００及び他方の下部板状体１０１の大きさ並びに前記突出部１０１１、１０１２の幅との関係からは、２ｃｍであることが好ましい。
【００１７】
図１に示すように、立方体よりなる一方の上部板状体１００と立方体よりなる他方の下部板状体１０１とが当該片方の上部板状体１００の２辺から突出した突出部１０１１、１０１２を除いて上下に接合してなる防草板状体１を一単位とする。
図１の例では、左右の当該防草板状体１は同様の構成とし、当該防草板状体１を構成する立方体よりなる一方の上部板状体１００と立方体よりなる他方の下部板状体１０１とが、共に正四角形の同一の大きさからなり、又、防草板状体を構成する立方体よりなる一方の上部板状体１００と立方体よりなる他方の下部板状体１００とが正四辺形の内部に収納されてなると共に、当該上下の立方体よりなる一方の上部板状体１００と立方体よりなる他方の下部板状体１０１とは、共に同じ厚みとする。
【００１８】
図１に例示するように、立方体よりなる一方の上部板状体１００と立方体よりなる他方の下部板状体１０１とを上下に接合してなる防草板状体１を一単位として、二単位で当該防草板状体１同士の端部を対向させ、各防草板状体の接合端縁が一致するように接合して、防草板状体敷設構造Ａを構成する。
当該防草板状体１、１の上部板状体１００、１００の図示上右端部と左端部とを対向させ、各防草板状体１，１の接合端縁Ｅ１が一致するように接合する。
当該防草板状体１、１の下部板状体１０１、１０１の図示上右端部と左端部とを対向させ、各防草板状体１，１の接合端縁Ｅ２が一致するように接合する。
【００１９】
図１に例示するように、立方体よりなる一方の上部板状体１００と立方体よりなる他方の下部板状体１０１とが当該片方の上部板状体１００の２辺から突出した突出部１０１１、１０１２を除いて上下に接合してなる防草板状体１を一単位として、上記二単位に構成した防草板状体敷設構造Ａを用いて、同様にして四単位に防草板状体敷設構造Ａを構成する。
【００２０】
図１に例示するように、立方体よりなる一方の上部板状体１００と立方体よりなる他方の下部板状体１０１とが当該片方の上部板状体１００の２辺から突出した突出部１０１１、１０１２を除いて上下に接合してなる防草板状体１を一単位として、上記四単位に構成した防草板状体敷設構造Ａを用いて、同様にして八単位の防草板状体敷設構造Ａを構成する。
【００２１】
図２は、本考案の他の実施例を示し、立方体よりなる一方の上部板状体１００と立方体よりなる他方の下部板状体１０１とが当該片方の上部板状体１００の２辺から突出した突出部１０１１、１０１２を除いて上下に接合してなる防草板状体１を一単位として、同様にして、二単位の防草板状体敷設構造Ａを構成し、当該二単位の防草板状体同士を接合して、四単位の防草板状体敷設構造Ａを構成し、更に、八単位の防草板状体敷設構造Ａを構成してなる例を示してある。この場合も、当該防草板状体１、１の上部板状体１００、１００の右端部と左端部とを対向させ、各防草板状体１，１の接合端縁が一致するように接合する。
【００２２】
図３は、立方体よりなる一方の上部板状体１００と立方体よりなる他方の下部板状体１０１とが当該片方の上部板状体１００の２辺から突出した突出部１０１１、１０１２を除いて上下に接合してなる防草板状体１を一単位として、同様にして、三単位の防草板状体敷設構造Ａを構成し、当該三単位の防草板状体敷設構造Ａ同士を接合して、六単位の防草板状体敷設構造Ａを構成してなる例を示してある。
この場合も、当該防草板状体１、１、１の上部板状体１００、１００、１００の右端部と左端部とを対向させ、各防草板状体１，１、１の接合端縁が一致するように接合する。
【００２３】
図４Ａ、図４Ｂ及び図４Ｃは、本考案の防草板状体敷設構造の断面図を示してある。
図４Ａ、図４Ｂ及び図４Ｃに示すように、当該防草板状体敷設構造を構成する立方体よりなる一方の上部板状体１００と立方体よりなる他方の下部板状体１０１とが当該片方の上部板状体１００の２辺から突出した突出部１０１１、１０１２を除いて上下に接合してなる防草板状体１は、当該防草板状体１を構成する立方体よりなる一方の上部板状体１００と立方体よりなる他方の下部板状体１０１とは、当該片方の上部板状体１００の２辺から突出した突出部１０１１、１０１２を除いて、上下に接合してなる。
図４に示すように、左右の当該防草板状体１は同様の構成とし、当該防草板状体１を構成する立方体よりなる一方の上部板状体１００と立方体よりなる他方の下部板状体１０１とが、共に同一の大きさからなり、又、当該上下の立方体よりなる一方の上部板状体１００と立方体よりなる他方の下部板状体１０１とは、共に同じ厚みに構成されている。
図４Ｂ及び図４Ｃに示すように、当該防草板状体敷設構造Ａでは、立方体よりなる他方の下部板状体１０１同士の接合部分が、立方体よりなる一方の上部板状体１００により被覆されており、下方への日光が遮断され、防草効果を優れたものにしている。
【００２４】
図５は、本考案の更に他の実施例を示してある。
当該防草板状体敷設構造を構成する立方体よりなる一方の上部板状体１００と立方体よりなる他方の下部板状体１０１とが当該片方の上部板状体１００の２辺から突出した突出部１０１１、１０１２を除いて上下に接合してなる構成は、上記実施例と同様である。
当該実施例では、図５に示すように、縦方向に、同様にして、立方体よりなる一方の上部板状体１００と立方体よりなる他方の下部板状体１０１とが当該片方の上部板状体１００の２辺から突出した突出部１０１１、１０１２を除いて上下に接合してなる防草板状体１を一単位として、二単位の防草板状体敷設構造Ａを構成し、当該二単位の防草板状体同士を接合して、四単位の防草板状体敷設構造Ａを構成し、更に、当該四単位の防草板状体敷設構造Ａ同士を、図示上は、左右に接合して、八単位の防草板状体敷設構造Ａを構成してなる例を示してある。
この場合も、当該防草板状体１、１、１の上部板状体１００、１００、１００の下端部と上端部とを対向させ、各防草板状体１，１の当該上部板状体１００、１００の接合端縁が一致するように接合する。
【００２５】
本考案では、防草板状体の端部を対向させての接合に際して、露出した突出部が出現する場合、被覆部材を被覆させて、当該露出した突出部を被覆することができる。
例えば、図６に示すように、八単位に構成された防草板状体敷設構造Ａにおいて、露出した突出部１０３を被覆することのできる被覆部材２を被覆させることができる。日光を遮断し、防草効果を高め、雑草の生育をより一層抑えることができる。
被覆部材２としては、例えば、当該防草板状体１，１と同じような材質からなっていればよい。
【００２６】
本考案では、図７に例示するように、防草板状体の端部を対向させての接合に際して、接合部材３を介在させて接合することができる。
接合部材３としては、ネジ部材、蝶番（ちょうつがい）等を挙げることができる。防草板状体の動きを止めて、雑草の生育をより一層抑えることができる。
【００２７】
本考案で使用される立方体よりなる一方の上部板状体１００及び立方体よりなる他方の下部板状体１０１には、例えば、廃棄物としての合成樹脂に無機充填材や木粉等の添加剤等を添加して、加熱圧縮してなるリサイクル品を用いることができる。
【００２８】
本考案の防草板状体敷設構造は、防草を必要とする箇所に敷設して使用することができる。例えば、庭、駐車場等に使用することができる。道路、線路、河川、公園及び造林園並びにこれらの周辺の地面、表面及び特に法面などにも使用することができる。雑草などの草の成育を防止することにより、美観が損なわれること等を抑止できる。
【００２９】
本考案の防草板状体敷設構造Ａは、図８に例示するように、防草を必要とする箇所Ｂに敷設して使用すると、日光を遮断し、防草効果を発揮できる。
特に、本考案の当該防草板状体敷設構造Ａでは、立方体よりなる他方の下部板状体１０１同士の接合部分が、立方体よりなる一方の上部板状体１００により被覆されており、日光が遮断され、防草効果を優れたものにしている。
除草剤等の薬剤を使用しないので、土に残った薬剤が体内に入る危険性を排除できる。
防草シ−トを敷設したり、石貼りしたり、砂利を撒いたり、タイル貼りしたり、レンガ貼りしたり、天然材木や人工材木を敷設したりする方法では、飛び石や砂利等により地面がデコボコして歩きにくくなったり、つまづいて転ぶ危険性があったり、しばらくたつとやっぱり草は生えて来たりするが、本考案の防草板状体敷設構造Ａによれば、そういった欠点を解消できる。
コンクリ−ト等で防草舗装を施したりすることを自分でやるのは難しかったり、又、一度舗装するとその舗装部分を元の土の状態に戻したくても出来なかったりするが、本考案による防草板状体敷設構造Ａの構築は、簡単に自分でもでき、又、元の土の状態に戻すことも簡単である。
【００３０】
本考案は上記実施例に限定されず、適宜変更が可能である。前記実施例において、図１及び図４Ｄに示す立方体よりなる一方の板状体１００と立方体よりなる他方の板状体１０１とが当該片方の板状体１００の２辺から突出した突出部１０１１、１０１２を除いて上下に接合してなる防草板状体１について、当該片方の板状体１００から２辺から突出しとしたが、突出部は当該片方の板状体１０１からの突出しも包含する。
【産業上の利用可能性】
【００３１】
本考案の防草板状体敷設構造は、雑草に留まらず、草の生育阻止にも適用できる。
【図面の簡単な説明】
【００３２】
【図１】本考案の実施例を示す透視図法による平面図である。
【図２】本考案の他の実施例を示す透視図法による平面図である。
【図３】本考案の更に他の実施例を示す透視図法による平面図である。
【図４】図４Ａ、図４Ｂ及び図４Ｃは、本考案の実施例を示す断面図である。        図４Ｅは、本考案に使用される防草板状体の説明図である。
【図５】本考案の更に又他の実施例を示す透視図法による平面図である。
【図６】本考案の実施例を示し、被覆部材の使用例を示す説明図である。
【図７】本考案の実施例を示し、接合部材の使用例を示す説明図である。
【図８】本考案の防草板状体敷設構造の使用例を示す断面図である。
【符号の説明】
【００３３】
１…防草板状体
２…被覆部材
３…接合部材
１００…立方体よりなる一方の板状体
１０１…立方体よりなる他方の板状体
１０１１…突出部
１０１２…突出部
Ａ…防草板状体敷設構造
【図１】
0003204224.tif 000003
【図２】
0003204224.tif 000004
【図３】
0003204224.tif 000005
【図４】
0003204224.tif 000006
【図５】
0003204224.tif 000007
【図６】
0003204224.tif 000008
【図７】
0003204224.tif 000009
【図８】
0003204224.tif 000010
【手続補正書】
【提出日】平成28年3月11日(2016.3.11)
【手続補正１】
【補正対象書類名】実用新案登録請求の範囲
【補正対象項目名】全文
【補正方法】変更
【補正の内容】
【実用新案登録請求の範囲】
【請求項１】
防草を必要とする箇所に敷設可能な防草板状体敷設構造であって、一方の板状体と他方の板状体とが当該片方の板状体の２辺から突出した突出部を除いて接合してなる防草板状体よりなるか、又は、当該防草板状体を一単位として、複数の当該防草板状体の端部を対向させ、各防草板状体の接合端縁が一致するように接合してなることを特徴とする防草板状体敷設構造。
【請求項２】
防草板状体を構成する一方の板状体と他方の板状体とが、共に正四角形の同一の大きさからなり、且つ、防草板状体を構成する際の接合が接着剤を介在させて行われてなることを特徴とする、請求項１に記載の防草板状体敷設構造。
【請求項３】
正四辺形の内部に防草板状体を構成する一方の板状体と他方の板状体とが収納されてなることを特徴とする、請求項１又は２に記載の防草板状体敷設構造。
【請求項４】
防草板状体の端部を対向させての接合に際して、露出した突出部を被覆することのできる被覆部材を被覆させて接合してなることを特徴とする、請求項１、２又は３に記載の防草板状体敷設構造。
【請求項５】
防草板状体の端部を対向させての接合に際して、接合部材を介在させて接合してなることを特徴とする、請求項１、２、３又は４に記載の防草板状体敷設構造。
【請求項６】
防草板状体敷設構造が、四単位の防草板状体により構成されてなることを特徴とする、請求項１、２、３、４又は５に記載の防草板状体敷設構造。
【請求項７】
防草板状体敷設構造が、八単位の防草板状体により構成されてなることを特徴とする、請求項１、２、３、４、５又は６に記載の防草板状体敷設構造。
【手続補正２】
【補正対象書類名】明細書
【補正対象項目名】全文
【補正方法】変更
【補正の内容】
【考案の詳細な説明】
【技術分野】
【０００１】
本考案は、防草板状体敷設構造に関し、特に、敷設に整合性が取り易く、防草（雑草防止）に有効で、雑草が生えなくなるので、畑等での草刈の必要性を無くし、駐車場等の管理が楽になる等の効果がある防草板状体敷設構造に関するものである。
【背景技術】
【０００２】
雑草は、抜いても抜いても生えてくる、やっかいなもので、雑草対策・雑草除去を怠ると、あっという間に草ボウボウになるだけではなく、夏は、蚊などの虫の発生源にもなったりし、中には花粉症やアレルギ−を引き起こす雑草もあるので注意が必要である。
防草（雑草防止）の対策には、基本的には、「抜く，枯らす，防ぐ」の三種類の方法があるとされている。
しかし、雑草を手で一々抜いていくのは、非常に厄介であり、又、鎌や草刈り機等で草刈するとしても、その労力は多大で、しかも、雑草は、抜いても抜いても生えてくるので、根本的な対策とはなり難い。
除草剤等の薬剤を使用して「枯らす」雑草対策・方法は、生えてしまった雑草を手早く処理でき簡単ではあるが、小さな子供やペットがいる家庭では、土に残った薬剤が体内に入る危険性がある為、雑草対策としては進められない。
雑草に対して、日光を遮断して、雑草に光を与えないことは、防草対策として有効である。
防草シ−トを敷設したり、石貼りしたり、砂利を撒いたり、タイル貼りしたり、レンガ貼りしたり、天然材木や人工材木を敷設したり、コンクリ−ト等で防草舗装を施したりするのは、日光を遮断して、雑草に、光を与えず、その成長を阻止する為である。これらを併用することも行われており、例えば、防草シ−トを敷いた上に砂利を撒く等の方法が取られることがある。
しかし、飛び石や砂利等は、地面がデコボコして歩きにくくなったり、つまづいて転ぶ危険性があったり、しばらくたつとやっぱり草は生えて来たりし、コンクリ−ト等で防草舗装を施したりする防草対策を自分でやるのは難しかったり、
一度舗装すると、その舗装部分を元の土の状態に戻したくても出来なかったりする等の欠点がある。
雑草対策に塩を撒くことも考えられるが、塩は雑草だけでなく花や植木なども枯らす可能性があるので推奨され難い。
低木類を植栽して、光を当てにくくし、雑草を生えにくくすることも可能であるが、しばらくたつとやっぱり草は生えて来たりして、上記と同様の欠点がある。
特開６１−８７００２公報には、２辺に厚さの上半分に突出する上部突出面６，６を有し、又、残りの２辺に厚さの下半分に突出する下部突出面７，７を有してなるブロック５が記載されており、当該ブロック５は、この上部突出面６，６及び下部突出面７，７を、隣接するブロックのそれぞれ下部突出面７，７及び上部突出面６，６に接し合うようにして、互いに取り付けられて、路床に敷き詰められることが記載されている。しかし、同公報に記載の当該ブロックは、あくまでも、テニスコ−ト等の舗装用で、防草（雑草防止）について触れる記載はない。
又、特開２００７−７７７２４公報には、所定厚さの矩形状の本体部２と、本体部２の隣接する２つの辺部に上面を所定幅だけ延設して形成された上面段差部３と、上面段差部３が形成された辺部以外の２つの辺部に上面段差部３と同じ幅だけ下面を延設して形成された下面段差部４とを備え、上面段差部３及び下面段差部４の厚さの合計値を本体部２の厚さとほぼ同じとなるように設定してなる緑化用板状パネル材１が記載されている。しかし、当該緑化用板状パネル材１にあっては、その個々のパネル材は、前記特開６１−８７００２公報に記載のブロックと同じであるが、複数のパネル材を上面段差部３及び下面段差部４をずらして重合させて配置することで矩形状の植栽領域を形成するようにして、その矩形状の植栽領域に植物を栽培するようになっているものである。即ち、当該特開２００７−７７７２４公報に記載の緑化用板状パネル材は、屋上等でその矩形状の植栽領域において植物を栽培する為の緑化用板状パネル材に構成されているものである。
【先行技術文献】
【特許文献】
【０００３】
【特許文献１】特開６１−８７００２公報、特開２００７−７７７２４公報
【考案の開示】
【考案が解決しようとする課題】
【０００４】
本考案は、上記した従来の抜く，枯らす，防ぐの防草（雑草防止）対策の欠点を解消し、敷設に整合性が取り易く、防草（雑草防止）に有効な防草板状体敷設構造を提供することを目的としたものである。
本考案の他の目的および新規な特徴は以下の明細書及び図面の記載からも明らかになるであろう。
【課題を解決するための手段】
【０００５】
本考案の実用新案登録請求の範囲は、次の通りである。
（請求項１）防草を必要とする箇所に敷設可能な防草板状体敷設構造であって、一方の板状体と他方の板状体とが当該片方の板状体の２辺から突出した突出部を除いて接合してなる防草板状体よりなるか、又は、当該防草板状体を一単位として、複数の当該防草板状体の端部を対向させ、各防草板状体の接合端縁が一致するように接合してなることを特徴とする防草板状体敷設構造。
（請求項２）  防草板状体を構成する一方の板状体と他方の板状体とが、共に正四角形の同一の大きさからなり、且つ、防草板状体を構成する際の接合が接着剤を介在させて行われてなることを特徴とする、請求項１に記載の防草板状体敷設構造。
（請求項３）  正四辺形の内部に防草板状体を構成する一方の板状体と他方の板状体とが収納されてなることを特徴とする、請求項１又は２に記載の防草板状体敷設構造。
（請求項４）    防草板状体の端部を対向させての接合に際して、露出した突出部を被覆することのできる被覆部材を被覆させて接合してなることを特徴とする、請求項１、２又は３に記載の防草板状体敷設構造
（請求項５）  防草板状体の端部を対向させての接合に際して、接合部材を介在させて接合してなることを特徴とする、請求項１、２、３又は４に記載の防草板状体敷設構造。
（請求項６）  防草板状体敷設構造が、四単位の防草板状体により構成されてなることを特徴とする、請求項１、２、３、４又は５に記載の防草板状体敷設構造。
（請求項７）  防草板状体敷設構造が、八単位の防草板状体により構成されてなることを特徴とする、請求項１、２、３、４、５又は６に記載の防草板状体敷設構造。
【考案の効果】
【０００６】
本願において開示される発明のうち代表的なものによって得られる効果を簡単に説明すれば、下記のとおりである。
すなわち、本考案によれば、請求項１に示すように、防草を必要とする箇所に敷設可能な防草板状体敷設構造であって、一方の板状体と他方の板状体とが当該片方の板状体の２辺から突出した突出部を除いて接合してなる防草板状体よりなるか、又は、当該防草板状体を一単位として、複数の当該防草板状体の端部を対向させ、各防草板状体の接合端縁が一致するように接合してなることを特徴としているので、防草を必要とする箇所に敷設して使用すると、敷設に整合性が取り易く、日光を遮断し、優れた防草効果を発揮できる。
除草剤等の薬剤を使用しないので、土に残った薬剤が体内に入る危険性を排除でき、防草シ−トを敷設したり、石貼りしたり、砂利を撒いたり、タイル貼りしたり、レンガ貼りしたり、天然材木や人工材木を敷設したりする方法では、飛び石や砂利等により地面がデコボコして歩きにくくなったり、つまづいて転ぶ危険性があったり、しばらくたつとやっぱり草は生えて来たりするが、本考案によれば、そういった欠点を解消できる。
コンクリ−ト等で防草舗装を施したりすることを自分でやるのは難しかったり、又、一度舗装するとその舗装部分を元の土の状態に戻したくても出来なかったりするが、本考案による防草板状体敷設構造は、簡単に自分でも構築でき、又、元の土の状態に戻すことも簡単である。
【０００７】
又、請求項２に示すように、本考案では、防草板状体を構成する一方の板状体と他方の板状体とが、共に正四角形の同一の大きさからなり、且つ、防草板状体を構成する際の接合が接着剤を介在させて行われてなるので、敷設を容易に行えるようになっている。又、複数の防草板状体を接合させて防草板状体敷設構造を構成するのが容易となり、並びの整合性を取ることができる。
【０００８】
更に、請求項３に示すように、正四辺形の内部に防草板状体を構成する一方の板状体と他方の板状体とが収納されてなるので、より一層防草板状体敷設構造の整合性が取れ、当該防草板状体敷設構造をより防草（雑草防止）に有効なものになし得る。
【０００９】
更に又、請求項４に示すように、防草板状体の端部を対向させての接合に際して、露出した突出部を被覆することのできる被覆部材を被覆させて接合してなることにより、日光が遮断され、より一層防草効果を優れたものにすることができる。
【００１０】
更に又、請求項５に示すように、防草板状体の端部を対向させての接合に際して、接合部材３を介在させて接合させると、防草板状体の動きを止めて、雑草の生育をより一層抑えることができる。
【００１１】
更に又、本考案では、複数の防草板状体を接合させて防草板状体敷設構造を構成するのが容易となり、並びの整合性を容易に取ることができるので、請求項６に示すように、四単位の防草板状体による防草板状体敷設構造が容易に構築できる。
【００１２】
更に又、本考案では、複数の防草板状体を接合させて防草板状体敷設構造を構成するのが容易となり、並びの整合性を容易に取ることができるので、請求項７に示すように、八単位の防草板状体による防草板状体敷設構造が容易に構築できる。
【００１３】
次に、本考案の実施例を図面を参照しつつ説明する。
【実施例】
【００１４】
本考案では、図１及び図４Ｄに示すような、一方の板状体１００と他方の板状体１０１とが当該片方の板状体１００の２辺から突出した突出部１０１１、１０１２を除いて上下に接合してなる防草板状体１が基本となっている。本考案は、当該防草板状体１も防草板状体敷設構造に包含される。
当該防草板状体１を構成する一方の上部板状体１００及び他方の下部板状体１０１とは、共に正四角形の同一の大きさからなることが好ましい。それにより、防草板状体敷設構造を構成する際の整合性を容易に取ることができ、防草効果を優れたものにすることができる。
その為、当該防草板状体１を構成する一方の上部板状体１００の四辺の長さＬ１は等しくなっている。
又、当該防草板状体１を構成する他方の下部板状体１０１の四辺の長さＬ２も等しくなっている。
正四角形の大きさの好ましい例は、一辺が４５．５ｃｍである。この好ましい例からは、一方の板状体１００と他方の板状体１０１とは、共に、一辺が４５．５ｃｍの正四角形の同一の大きさよりなる。
上記２辺から突出した突出部１０１１の幅Ｘ１の好ましい例は、５ｃｍである。一方、２辺から突出した突出部１０１２の幅（Ｘ２）の好ましい例は、
４．５ｃｍである。
図４Ｄに示すように、一辺の長さ（Ｌ３）が等しい正四辺形の内部に防草板状体を構成する一方の上部板状体１００と他方の下部板状体１００とが収納されてなることが好ましい。
当該一辺の長さＬ３は，５０ｃｍであることが好ましい。それにより、防草板状体敷設構造を構成する際の整合性を容易に取ることができ、防草効果を優れたものにすることができる。
【００１５】
本考案では、一方の上部板状体１００と他方の下部板状体１０１とは、これら一方の上部板状体１００と他方の下部板状体１０１との間に、接着剤を介在させて接合して防草板状体１を構成するのが好ましい。粘着剤を介在させてもよい。
当該接着剤等による接合により、防草を必要とする箇所に容易に敷設でき、又、複数の防草板状体を接合させて防草板状体敷設構造を構成するのが容易となり、並びの整合性を取ることができる。
【００１６】
防草板状体１を構成する一方の上部板状体１００と他方の下部板状体１０１とは、共に正四角形の同一の大きさからなると共に、当該上下の一方の上部板状体１００と他方の下部板状体１０１とは、共に同じ厚みとすることが好ましい。接合が容易で、平らな平面を確保できるからである。当該厚みは、同じであれば、特に、制限はないが、前記当該一方の上部板状体１００及び他方の下部板状体１０１の大きさ並びに前記突出部１０１１、１０１２の幅との関係からは、２ｃｍであることが好ましい。
【００１７】
図１に示すように、一方の上部板状体１００と他方の下部板状体１０１とが当該片方の上部板状体１００の２辺から突出した突出部１０１１、１０１２を除いて上下に接合してなる防草板状体１を一単位とする。
図１の例では、左右の当該防草板状体１は同様の構成とし、当該防草板状体１を構成する一方の上部板状体１００と他方の下部板状体１０１とが、共に正四角形の同一の大きさからなり、又、防草板状体を構成する一方の上部板状体１００と他方の下部板状体１００とが正四辺形の内部に収納されてなると共に、当該上下の一方の上部板状体１００と他方の下部板状体１０１とは、共に同じ厚みとする。
【００１８】
図１に例示するように、一方の上部板状体１００と他方の下部板状体１０１とを上下に接合してなる防草板状体１を一単位として、二単位で当該防草板状体１同士の端部を対向させ、各防草板状体の接合端縁が一致するように接合して、防草板状体敷設構造Ａを構成する。
当該防草板状体１、１の上部板状体１００、１００の図示上右端部と左端部とを対向させ、各防草板状体１，１の接合端縁Ｅ１が一致するように接合する。
当該防草板状体１、１の下部板状体１０１、１０１の図示上右端部と左端部とを対向させ、各防草板状体１，１の接合端縁Ｅ２が一致するように接合する。
【００１９】
図１に例示するように、一方の上部板状体１００と他方の下部板状体１０１とが当該片方の上部板状体１００の２辺から突出した突出部１０１１、１０１２を除いて上下に接合してなる防草板状体１を一単位として、上記二単位に構成した防草板状体敷設構造Ａを用いて、同様にして四単位に防草板状体敷設構造Ａを構成する。
【００２０】
図１に例示するように、一方の上部板状体１００と他方の下部板状体１０１とが当該片方の上部板状体１００の２辺から突出した突出部１０１１、１０１２を除いて上下に接合してなる防草板状体１を一単位として、上記四単位に構成した防草板状体敷設構造Ａを用いて、同様にして八単位の防草板状体敷設構造Ａを構成する。
【００２１】
図２は、本考案の他の実施例を示し、一方の上部板状体１００と他方の下部板状体１０１とが当該片方の上部板状体１００の２辺から突出した突出部１０１１、１０１２を除いて上下に接合してなる防草板状体１を一単位として、同様にして、二単位の防草板状体敷設構造Ａを構成し、当該二単位の防草板状体同士を接合して、四単位の防草板状体敷設構造Ａを構成し、更に、八単位の防草板状体敷設構造Ａを構成してなる例を示してある。この場合も、当該防草板状体１、１の上部板状体１００、１００の右端部と左端部とを対向させ、各防草板状体１，１の接合端縁が一致するように接合する。
【００２２】
図３は、一方の上部板状体１００と他方の下部板状体１０１とが当該片方の上部板状体１００の２辺から突出した突出部１０１１、１０１２を除いて上下に接合してなる防草板状体１を一単位として、同様にして、三単位の防草板状体敷設構造Ａを構成し、当該三単位の防草板状体敷設構造Ａ同士を接合して、六単位の防草板状体敷設構造Ａを構成してなる例を示してある。
この場合も、当該防草板状体１、１、１の上部板状体１００、１００、１００の右端部と左端部とを対向させ、各防草板状体１，１、１の接合端縁が一致するように接合する。
【００２３】
図４Ａ、図４Ｂ及び図４Ｃは、本考案の防草板状体敷設構造の断面図を示してある。
図４Ａ、図４Ｂ及び図４Ｃに示すように、当該防草板状体敷設構造を構成する一方の上部板状体１００と他方の下部板状体１０１とが当該片方の上部板状体１００の２辺から突出した突出部１０１１、１０１２を除いて上下に接合してなる防草板状体１は、当該防草板状体１を構成する一方の上部板状体１００と他方の下部板状体１０１とは、当該片方の上部板状体１００の２辺から突出した突出部１０１１、１０１２を除いて、上下に接合してなる。
図４に示すように、左右の当該防草板状体１は同様の構成とし、当該防草板状体１を構成する一方の上部板状体１００と他方の下部板状体１０１とが、共に同一の大きさからなり、又、当該上下の一方の上部板状体１００と他方の下部板状体１０１とは、共に同じ厚みに構成されている。
図４Ｂ及び図４Ｃに示すように、当該防草板状体敷設構造Ａでは、他方の下部板状体１０１同士の接合部分が、一方の上部板状体１００により被覆されており、下方への日光が遮断され、防草効果を優れたものにしている。
【００２４】
図５は、本考案の更に他の実施例を示してある。
当該防草板状体敷設構造を構成する一方の上部板状体１００と他方の下部板状体１０１とが当該片方の上部板状体１００の２辺から突出した突出部１０１１、１０１２を除いて上下に接合してなる構成は、上記実施例と同様である。
当該実施例では、図５に示すように、縦方向に、同様にして、一方の上部板状体１００と他方の下部板状体１０１とが当該片方の上部板状体１００の２辺から突出した突出部１０１１、１０１２を除いて上下に接合してなる防草板状体１を一単位として、二単位の防草板状体敷設構造Ａを構成し、当該二単位の防草板状体同士を接合して、四単位の防草板状体敷設構造Ａを構成し、更に、当該四単位の防草板状体敷設構造Ａ同士を、図示上は、左右に接合して、八単位の防草板状体敷設構造Ａを構成してなる例を示してある。
この場合も、当該防草板状体１、１、１の上部板状体１００、１００、１００の下端部と上端部とを対向させ、各防草板状体１，１の当該上部板状体１００、１００の接合端縁が一致するように接合する。
【００２５】
本考案では、防草板状体の端部を対向させての接合に際して、露出した突出部が出現する場合、被覆部材を被覆させて、当該露出した突出部を被覆することができる。
例えば、図６に示すように、八単位に構成された防草板状体敷設構造Ａにおいて、露出した突出部１０３を被覆することのできる被覆部材２を被覆させることができる。日光を遮断し、防草効果を高め、雑草の生育をより一層抑えることができる。
被覆部材２としては、例えば、当該防草板状体１，１と同じような材質からなっていればよい。
【００２６】
本考案では、図７に例示するように、防草板状体の端部を対向させての接合に際して、接合部材３を介在させて接合することができる。
接合部材３としては、ネジ部材、蝶番（ちょうつがい）等を挙げることができる。防草板状体の動きを止めて、雑草の生育をより一層抑えることができる。
【００２７】
本考案で使用される一方の上部板状体１００及び他方の下部板状体１０１には、例えば、廃棄物としての合成樹脂に無機充填材や木粉等の添加剤等を添加して、加熱圧縮してなるリサイクル品を用いることができる。
【００２８】
本考案の防草板状体敷設構造は、防草を必要とする箇所に敷設して使用することができる。例えば、庭、駐車場等に使用することができる。道路、線路、河川、公園及び造林園並びにこれらの周辺の地面、表面及び特に法面などにも使用することができる。雑草などの草の成育を防止することにより、美観が損なわれること等を抑止できる。
【００２９】
本考案の防草板状体敷設構造Ａは、図８に例示するように、防草を必要とする箇所Ｂに敷設して使用すると、日光を遮断し、防草効果を発揮できる。
特に、本考案の当該防草板状体敷設構造Ａでは、他方の下部板状体１０１同士の接合部分が、一方の上部板状体１００により被覆されており、日光が遮断され、防草効果を優れたものにしている。
除草剤等の薬剤を使用しないので、土に残った薬剤が体内に入る危険性を排除できる。
防草シ−トを敷設したり、石貼りしたり、砂利を撒いたり、タイル貼りしたり、レンガ貼りしたり、天然材木や人工材木を敷設したりする方法では、飛び石や砂利等により地面がデコボコして歩きにくくなったり、つまづいて転ぶ危険性があったり、しばらくたつとやっぱり草は生えて来たりするが、本考案の防草板状体敷設構造Ａによれば、そういった欠点を解消できる。
コンクリ−ト等で防草舗装を施したりすることを自分でやるのは難しかったり、又、一度舗装するとその舗装部分を元の土の状態に戻したくても出来なかったりするが、本考案による防草板状体敷設構造Ａの構築は、簡単に自分でもでき、又、元の土の状態に戻すことも簡単である。
【００３０】
本考案は上記実施例に限定されず、適宜変更が可能である。前記実施例において、図１及び図４Ｄに示す一方の板状体１００と他方の板状体１０１とが当該片方の板状体１００の２辺から突出した突出部１０１１、１０１２を除いて上下に接合してなる防草板状体１について、当該片方の板状体１００から２辺から突出しとしたが、突出部は当該片方の板状体１０１からの突出しも包含する。
【産業上の利用可能性】
【００３１】
本考案の防草板状体敷設構造は、雑草に留まらず、草の生育阻止にも適用できる。
【図面の簡単な説明】
【００３２】
【図１】本考案の実施例を示す透視図法による平面図である。
【図２】本考案の他の実施例を示す透視図法による平面図である。
【図３】本考案の更に他の実施例を示す透視図法による平面図である。
【図４】図４Ａ、図４Ｂ及び図４Ｃは、本考案の実施例を示す断面図である。        図４Ｅは、本考案に使用される防草板状体の説明図である。
【図５】本考案の更に又他の実施例を示す透視図法による平面図である。
【図６】本考案の実施例を示し、被覆部材の使用例を示す説明図である。
【図７】本考案の実施例を示し、接合部材の使用例を示す説明図である。
【図８】本考案の防草板状体敷設構造の使用例を示す断面図である。
【符号の説明】
【００３３】
１…防草板状体
２…被覆部材
３…接合部材
１００…一方の板状体
１０１…他方の板状体
１０１１…突出部
１０１２…突出部
Ａ…防草板状体敷設構造